(57)【要約】      （修正有）【課題】着用者の脚を外側に開き、太股及び脹脛を絞り上げて引き締め、着用者が動作することで効果的なエクササイズを行なうことができるスパッツを提供する。【解決手段】スパッツ１００は、ベース生地部１よりも伸縮抵抗が大きく編成され、正面視で内側面から外側面にかけて斜め上方に巻回すると共に背面視で外側面から内側面にかけて斜め上方に巻回する螺旋状の螺旋締付部３１、３２ａ、３２ｂをレッグ部２０及びパンティ部１０に備える。【選択図】図１
0003199435.tif 000002
【実用新案登録請求の範囲】
【請求項１】
筒状編地により編成され、レッグ部及びパンティ部を備えるスパッツにおいて、
ベース生地部よりも伸縮抵抗が大きく編成され、正面視で内側面から外側面にかけて斜め上方に巻回すると共に背面視で外側面から内側面にかけて斜め上方に巻回する螺旋状の螺旋締付部を前記レッグ部及びパンティ部に備えることを特徴とするスパッツ。
【請求項２】
請求項１に記載のスパッツにおいて、
ベース生地部よりも伸縮抵抗が大きく編成され、着用者の臀溝に対応する部分に配設される略Ｖ字状のＶ字締付部を前記パンティ部に備えることを特徴とするスパッツ。
【請求項３】
請求項２に記載のスパッツにおいて、
前記螺旋締付部が、前記レッグ部の内側面から始まり、前記Ｖ字締付部に股布近傍で連結する第１螺旋締付部と、前記レッグ部の外側面から始まり、前記第１螺旋締付部に離間して略平行に配設され、前記略Ｖ字締付部に連結する第２螺旋締付部と、を備えることを特徴とするスパッツ。
【請求項４】
請求項３に記載のスパッツにおいて、
前記第２螺旋締付部が、着用者の膝部の外側面を境界として、編地を異ならせており、
前記第２螺旋締付部の上部の伸縮抵抗が、前記第２螺旋締付部の下部及び前記第１螺旋締付部の伸縮抵抗より大きいことを特徴とするスパッツ。
【請求項５】
請求項３又は４に記載のスパッツにおいて、
前記Ｖ字締付部の幅が、第２螺旋締付部の幅よりも広く、
前記第１螺旋締付部と前記Ｖ字締付部との連結により、背面視で略Ｘ字状をなし、
背面視で略Ｘ字状をなす前記第１螺旋締付部の一部の幅が、前記Ｖ字締付部の幅と略同一であり、前記第１螺旋締付部の他の幅よりも広いことを特徴とするスパッツ。
【考案の詳細な説明】
【技術分野】
【０００１】
この考案は、スパッツに関するものである。
【背景技術】
【０００２】
従来のスパッツにおいては、両脚を被う脚部では締付け力の弱い生地と締付け力の強い生地を螺旋状を成して縫製し、しかし脚が屈曲する膝部は締付け力の弱い生地で構成している（例えば、実用新案登録文献１参照）。
【先行技術文献】
【特許文献】
【０００３】
【特許文献１】特開２００７−１３８３４８号公報
【考案の概要】
【考案が解決しようとする課題】
【０００４】
従来のスパッツは、正面視において締付け力の強い生地を外側面から内側面にかけて斜め上向きに螺旋状に成しており、着用者の脚を内側に閉じる方向に力が働くことになり、着用者の脚を外側に開く方向に力が働くものではない。
また、従来のスパッツは、締付け力が互いに異なる複数生地を縫い付けたスパッツであり、製造工程が複雑であるという課題がある。
【０００５】
この考案は、上述のような課題を解決するためになされたもので、着用者の脚を外側に開き、太股及び脹脛を絞り上げて引き締め、着用者が動作することで効果的なエクササイズを行なうことができるスパッツを提供することを目的とする。
【課題を解決するための手段】
【０００６】
この考案に係るスパッツにおいては、筒状編地により編成され、レッグ部及びパンティ部を備え、ベース生地部よりも伸縮抵抗が大きく編成され、正面視で内側面から外側面にかけて斜め上方に巻回すると共に背面視で外側面から内側面にかけて斜め上方に巻回する螺旋状の螺旋締付部をレッグ部及びパンティ部に備える。
【考案の効果】
【０００７】
この考案に係るスパッツにおいては、着用者の脚を外側に開き、太股及び脹脛を絞り上げて引き締め、着用者が動作することで効果的なエクササイズを行なうことができる。
【図面の簡単な説明】
【０００８】
【図１】（ａ）は第１の実施形態におけるスパッツを示す正面図であり、（ｂ）は図１（ａ）に示すスパッツの右側図である。
【図２】（ａ）は図１（ａ）に示すスパッツの平面図であり、（ｂ）は図１（ａ）に示すスパッツの背面図であり、（ｃ）は図１（ａ）に示すスパッツの底面図である。
【図３】（ａ）は図１に示すスパッツの使用状態を示す右側面図であり、（ｂ）は図１に示すスパッツの使用状態を示す背面図である。
【図４】（ａ）はベース生地部の編組織を説明するための説明図であり、（ｂ）はウエスト・バンドの編組織を説明するための説明図であり、（ｃ）は股布の編組織を説明するための説明図である。
【図５】（ａ）は左脚側の第１螺旋締付部及び第２螺旋締付部の下部並びに右臀部側のＶ字締付部の編組織を説明するための説明図であり、（ｂ）は右脚側の第１螺旋締付部及び第２螺旋締付部の下部並びに左臀部側のＶ字締付部の編組織を説明するための説明図である。
【図６】第２螺旋締付部の上部の編組織を説明するための説明図である。
【図７】（ａ）は内側締付部の編組織を説明するための説明図であり、（ｂ）はＵ字締付部の編組織を説明するための説明図であり、（ｃ）は外側締付部の編組織を説明するための説明図である。
【考案を実施するための形態】
【０００９】
（本考案の第１の実施形態）
スパッツ１００は、筒状編地により編成され、図１〜図３に示すように、パンティ部１０及びレッグ部２０の二部に大別され、ベース生地部１に対して、異なる編組織を施した後述の各締付部により所望のテーピング効果を持たせている。
なお、スパッツ１００は、既存の靴下編機により筒状に編んだ一対の編地を用いて、パンティ１３に相当する部分に切れ目を入れて裁断縁同士を付き合わせて縫着して一体化したものである。
【００１０】
本実施形態に係るベース生地部１は、図４（ａ）に示すように、給糸口１Ｆ，３Ｆからの編糸による１ウェール毎にニット及びミスを交互に繰り返す１×１リブ編と給糸口２Ｆ，４Ｆからの編糸による連続するニットの平編とを１コース毎に交互に繰り返し、給糸口１Ｆからの編糸による１×１リブ編のニットの位置と給糸口３Ｆからの編糸による１×１リブ編のニットの位置とを１ウェール分ずらしているリブ編の変形の編組織（以下、「第１リブ編地」と称す）で編成されている。しかしながら、ベース生地部１は、後述する締付部の伸縮抵抗より伸縮抵抗が小さいのであれば、この編組織に限られるものではない。
【００１１】
パンティ部１０は、上端である腰天１１のゴムテープの部分であるウエスト・バンド１２と、着用者の腰を覆う部分であるパンティ１３と、着用者の股の添え生地である股布１４と、を備え、腰天１１から身部切替えまでの部分の総称である。
【００１２】
なお、ウエスト・バンド１２は、筒状編地の端部を裏地面側に折り返して二重にし、当該端部を縫製して幅広に形成されることにより、着用者に心地よく、着用者の腹部及び腰部の形状に適合しながら、腹部周り及び腰部周りをすっきりとした輪郭で抑えることができる（図３（ａ）及び図３（ｂ）の符号Ａ参照）。また、ウエスト・バンド１２は、コルセットのような強い締め付けではなく、着用者の皮膚の一部のように着用者の動きに応じて伸縮し、着用者に心地よいサポート力で腰部をしっかり支持することができる。
【００１３】
本実施形態に係るウエスト・バンド１２は、図４（ｂ）に示すように、給糸口１Ｆからの編糸による１ウェール毎にニット及びミスを交互に繰り返す１×１リブ編と給糸口２Ｆ，３Ｆ，４Ｆからの編糸による連続するニットの平編とを交互に繰り返す、リブ編の変形の編組織（以下、「第２リブ編地」と称す）で編成されている。
また、本実施形態に係る股布１４は、図４（ｃ）に示すように、給糸口１Ｆ，２Ｆ，３Ｆ，４Ｆからの編糸による連続するニットの平編の編組織で編成されている。
【００１４】
レッグ部２０は、着用者の大腿（太股）に対応する部分である大腿部２１と、着用者の膝に対応する部分である膝部２２と、着用者の下腿に対応する部分である下腿部２３と、レッグ部２０の下端である裾２４のゴムテープの部分である口ゴム２５と、を備え、大腿部２１から裾２４までの部分の総称である。
【００１５】
スパッツ１００は、ベース生地部１よりも伸縮抵抗が大きく編成され、図１（ａ）に示す正面視で内側面から外側面にかけて斜め上方に巻回すると共に図２（ｂ）に示す背面視で外側面から内側面にかけて斜め上方に巻回する螺旋状の螺旋締付部３０（第１螺旋締付部３１、第２螺旋締付部３２）をレッグ部２０及びパンティ部１０に備える。
【００１６】
螺旋締付部３０は、着用者の股関節（脚の付け根）から爪先までの脚全体を外側に開かせ、左右の内腿を合わせ、臀部を引き締め、バレエの基本姿勢「アン・ドゥ・オール（en dehors）」のように着用者の姿勢を自然に導くことができる。
【００１７】
また、螺旋締付部３０は、レッグ部２０の内側面から始まり、後述するＶ字締付部４０に股布１４近傍で連結する第１螺旋締付部３１と、レッグ部２０の外側面から始まり、第１螺旋締付部３１に離間して略平行に配設され、後述するＶ字締付部４０に連結する第２螺旋締付部３２（上部３２ａ、下部３２ｂ）と、を備える。
【００１８】
螺旋締付部３０の第１螺旋締付部３１は、着用者の膝上から徐々に大腿の頂点に向かっており、大腿の内側を絞り上げ、連動して骨盤周りの筋肉へとその刺激を伝え、傾いた骨盤を正しい位置に自然に調整することができる。
螺旋締付部３０の第２螺旋締付部３２は、着用者の臀部を引き締め、腹部の奥の深層筋（インナーマッスル）を着用者に意識させると共に、着用者の骨盤を直立させ、着用者の姿勢を自然に正し、中半身（太腿から肋骨までの間の部分）を着用者に意識させることができる。
【００１９】
ここで、中半身は、骨盤と脚の骨をつなぐ重要な部分であり、バレリーナのような均整の取れた体を作るのために必要な多くの深層筋が集まっている。また、中半身には、脂肪を燃やすために必要な大きな筋肉（内転筋群、ハムストリング、腹直筋など）も存在するため、これらの筋肉を意識的に動かすだけで代謝が上がり、ボディーラインが整うと考えられる。なお、これらの筋肉を引き締めるには、以下の３つの意識が必要である。
第一に、バレエの基本姿勢「アン・ドゥ・オール（en dehors）」を心掛けることである。このように、股関節を外方向に開くように意識することで、内向きに硬くなった股関節の周りの筋肉が柔軟になり、骨盤周り及び体幹の筋肉が連動して刺激されると共に、股関節の可動域を広げることもできる。
第二に、「内股絞りからのお尻締め」を意識することである。このように、内腿及び大腿後面の筋肉を外側から内側に絞り上げ、内腿の頂点を両側から当接するように意識することで、骨盤を直立させ、中半身の体幹筋肉が連動して鍛えられ、脚全体からすっきりとした柔軟なボディーラインに整える。
第三に、「下腹をサスペンダーで引き上げる」を意識することである。このように、下腹を意識することで、丹田を刺激でき、背筋を自然に直立させ、きれいな姿勢作りを補助することができる。
すなわち、本実施形態に係るスパッツ１００は、以上の３つの意識を着用者に認識させる強弱関係の編地が施されている。
【００２０】
本実施形態に係るスパッツ１００は、着用者の膝蓋骨に対応する部分をベース生地部１に位置させ、着用者の膝蓋骨に対応する部分を第１螺旋締付部３１及び第２螺旋締付部３２で挟持することにより、着用者の膝を支持し、着用者の運動をサポートすることができる。
【００２１】
なお、本実施形態に係る第１螺旋締付部３１は、左脚側（図１（ａ）の右側、図２（ｂ）の左側）の編組織と右脚側（図１（ａ）の左側、図２（ｂ）の右側）の編組織とは逆の編目となっている。
例えば、第１螺旋締付部３１は、左脚側の編組織であれば、図５（ａ）に示すように、給糸口１Ｆ，３Ｆからの編糸による連続するニットの平編と、給糸口２Ｆ，４Ｆからの編糸による１つのニットの後に３つのミスが続く１×３リブ編とを１コース毎に交互に繰り返し、給糸口２Ｆからの編糸による１×３リブ編のニットの位置と給糸口４Ｆからの編糸による１×３リブ編のニットの位置とが１ウェールずつ左側にずらしているリブ編の変形の編組織（以下、「第３リブ編地」と称す）で編成されている。
また、第１螺旋締付部３１は、右脚側の編組織であれば、図５（ｂ）に示すように、給糸口１Ｆ，３Ｆからの編糸による連続するニットの平編と、給糸口２Ｆ，４Ｆからの編糸による１つのニットの後に３つのミスが続く１×３リブ編とを１コース毎に交互に繰り返し、給糸口２Ｆからの編糸による１×３リブ編のニットの位置と給糸口４Ｆからの編糸による１×３リブ編のニットの位置とが１ウェールずつ右側にずらしているリブ編の変形の編組織（以下、「第４リブ編地」と称す）で編成されている。
【００２２】
第２螺旋締付部３２は、図１（ｂ）に示すように、着用者の膝部の外側面を境界として、編地を異ならせており、第２螺旋締付部３２の上部３２ａの伸縮抵抗が、第２螺旋締付部３２の下部３２ｂ及び第１螺旋締付部３１の伸縮抵抗より大きい。
【００２３】
第２螺旋締付部３２の上部３２ａは、着用者の左右の内股の付け根の頂点を接触させるように力が働き、大腿を引き上げる感覚を着用者に意識させると共に、図３（ａ）の符号Ｂで示すように、内腿と大腿後面の筋肉を螺旋方向で内側から外側にかけて絞り上げて引き締めるように支持し、中半身を着用者に意識させながら大腿を引き上げることができる。
【００２４】
なお、本実施形態に係る第２螺旋締付部３２の上部３２ａは、図６に示すように、給糸口１Ｆ，３Ｆからの編糸による１つのニットの後に５つのミスが続く１×５リブ編と、給糸口２Ｆ，４Ｆからの編糸による連続するニットの平編とを１コース毎に交互に繰り返すと共に、８コース分（１Ｆ〜４Ｆ、１Ｆ〜４Ｆ）を１ユニットとして、隣接するユニットで３ウェール分ずらしているリブ編の変形の編組織（以下、「第５リブ編地」と称す）で編成されている。
【００２５】
第２螺旋締付部３２の下部３２ｂは、図３（ｂ）の符号Ｃに示すように、着用者の下腿を螺旋方向で外側から内側に絞り上げるように力が働き、下腿を引き締めることができる。
【００２６】
また、本実施形態に係る第２螺旋締付部３２の下部３２ｂは、第１螺旋締付部３１と同様の編組織であり、左脚側（図１（ａ）の右側、図２（ｂ）の左側）の編組織と右脚側（図１（ａ）の左側、図２（ｂ）の右側）の編組織とは逆の編目となっている。
すなわち、第２螺旋締付部３２の下部３２ｂは、左脚側の編組織であれば、図５（ａ）に示すように、第３リブ編地で編成され、右脚側の編組織であれば、図５（ｂ）に示すように、第４リブ編地で編成されている。
【００２７】
スパッツ１００は、ベース生地部１よりも伸縮抵抗が大きく編成され、図２（ｂ）に示すように、着用者の臀溝に対応する部分に配設される略Ｖ字状のＶ字締付部４０をパンティ部１０に備える。
なお、Ｖ字締付部４０の幅は、第２螺旋締付部３２の幅よりも広く設定している。
また、第１螺旋締付部３１は、Ｖ字締付部４０との連結により、図２（ｂ）に示す背面視で略Ｘ字状（以下、「Ｘ字締付部５０」と称す）をなしている。
また、図２（ｂ）に示す背面視で略Ｘ字状をなす第１螺旋締付部３１の一部の幅は、Ｖ字締付部４０の幅と略同一であり、第１螺旋締付部３１の他の幅よりも広く設定している。
【００２８】
Ｘ字締付部５０は、着用者の臀部中央に向かう幅広のスパイラルテーピングにクロステーピングが加わり、臀部中央に臀部を引き寄せる力を働かせ、図３（ｂ）の符号Ｄに示すように、自然に臀部を引き締めると共に、下方に弛んだ臀部のライン（臀溝）を引き締め、上向きに臀部の位置を上昇させ、脚高効果を得ることができる。
【００２９】
なお、本実施形態に係るＶ字締付部４０は、第１螺旋締付部３１と同様の編組織であり、右臀部側（図１（ａ）の右側、図２（ｂ）の左側）の編組織と左臀部側（図１（ａ）の左側、図２（ｂ）の右側）の編組織とは逆の編目となっている。
すなわち、Ｖ字締付部４０は、右臀部側の編組織であれば、図５（ａ）に示すように、第３リブ編地で編成され、左臀部側の編組織であれば、図５（ｂ）に示すように、第４リブ編地で編成されている。
【００３０】
スパッツ１００は、ベース生地部１よりも伸縮抵抗が大きく編成され、図１（ａ）に示す正面視で股布１４を包囲する内側締付部６１と、内側締付部を包囲する略Ｕ字状のＵ字締付部６２と、Ｕ字締付部６２を包囲する外側締付部６３と、を備える。
スパッツ１００は、図３（ａ）の符号Ｅに示すように、Ｕ字締付部６２が第２螺旋締付部３２（着用者の下腹部）を上方に引き上げ、内側締付部６１、Ｕ字締付部６２及び外側締付部６３が着用者の下腹部を押圧することにより、着用者の背筋を伸ばし、正しい姿勢を着用者に意識させることができる。
【００３１】
なお、本実施形態に係る内側締付部６１は、図７（ａ）に示すように、給糸口１Ｆ，２Ｆ，３Ｆ，４Ｆからの編糸による１つのニットの後に１つのミスが続く１×１リブ編の４コース分（１Ｆ〜４Ｆ）を１ユニットとして、隣接するユニットで１ウェール分ずらしているリブ編の変形の編組織（以下、「第６リブ編地」と称す）で編成されている。
また、Ｕ字締付部６２は、図７（ｂ）に示すように、給糸口１Ｆ，３Ｆからの編糸による２つのニットの後に２つのミスが続く２×２リブ編と給糸口２Ｆ，４Ｆからの編糸による１つのニットの後に１つのタックが続く１×１タック編とを１コース毎に交互に繰り返し、給糸口２Ｆからの編糸による１×１タック編のタックの位置と給糸口４Ｆからの編糸による１×１タック編のタックの位置とを１ウェール分ずらしているリブ編の変形の編組織（以下、「第７リブ編地」と称す）で編成されている。
このように、Ｕ字締付部６２は、タック編によるダッキング機能により、部分的に度目を小さくし、着用者の腹部における締付力を高めている。
また、外側締付部６３は、図７（ｃ）に示すように、給糸口１Ｆ，３Ｆからの編糸による１つのニットの後に２つのミスが続く１×２リブ編と給糸口２Ｆ，４Ｆからの編糸による連続するニットの平編とを１コース毎に交互に繰り返す、リブ編の変形の編組織（以下、「第８リブ編地」と称す）で編成されている。
【００３２】
なお、本実施形態に係るウエスト・バンド１２は、給糸口１Ｆから給糸される表糸として、１４０デニールのポリウレタン弾性糸の芯糸に、４０デニールの２本のナイロン糸（例えば、東レ株式会社製「キュープアクア」（登録商標））をカバーリングしたＤＣＹ（double covering yarn）を用いている（１４０×４０×４０  ＤＣＹ）。
また、本実施形態に係るウエスト・バンド１２は、給糸口１Ｆから給糸される裏糸として、２０デニールのポリウレタン弾性糸の芯糸に、フィラメントカウントが１０本である３０デニールのナイロン糸（長繊維）をカバーリングしたＦＴＹ（Filament Twisted Yarn）を用いている（Ｒ２０／３０−１０Ｆ  ＦＴＹ）。
また、本実施形態に係るウエスト・バンド１２は、給糸口２Ｆ，３Ｆ，４Ｆから給糸される編糸として、フィラメントカウントが２４本である７０デニール双糸のウーリーナイロン糸を用いている（７０／２−２４Ｆ  ＷＮ）。
【００３３】
さらに、本実施形態に係るウエスト・バンド１２以外の編地（ベース生地部１、螺旋締付部３０、Ｖ字締付部４０、Ｘ字締付部５０、内側締付部６１、Ｕ字締付部６２、外側締付部６３）は、給糸口１Ｆ〜４Ｆから給糸される表糸として、５０デニール双糸（５０／２）のナイロン糸（例えば、東レ株式会社製「キュープアクア」（登録商標））を用いている。
また、本実施形態に係るウエスト・バンド１２以外の編地（ベース生地部１、螺旋締付部３０、Ｖ字締付部４０、Ｘ字締付部５０、内側締付部６１、Ｕ字締付部６２、外側締付部６３）は、給糸口１Ｆ〜４Ｆから給糸される裏糸として、２０デニールのポリウレタン弾性糸の芯糸に、フィラメントカウントが１０本である３０デニールのナイロン糸（長繊維）をカバーリングしたＦＴＹ（Filament Twisted Yarn）を用いている（Ｒ２０／３０−１０Ｆ  ＦＴＹ）。
【００３４】
ここで、素材に伸長を与えない状態から一定の伸長を与えた場合の張力をＦとし、レッグ部２０の周方向Ｈにおけるベース生地部１の張力ＦＨ１、レッグ部２０の周方向Ｈにおける各締付部（第１螺旋締付部３１、第２螺旋締付部３２、Ｖ字締付部４０、内側締付部６１、Ｕ字締付部６２、外側締付部６３）の張力ＦＨ２とすると、締付部がベース生地部１と比較して強い締め付け力を持つような、ＦＨ２＞ＦＨ１という大小関係を持たせることが好ましい。
【００３５】
特に、レッグ部２０の周方向Ｈにおける第１螺旋締付部３１の張力ＦＨ３１、レッグ部２０の周方向Ｈにおける第２螺旋締付部３２の上部３２ａの張力ＦＨ３２ａ、レッグ部２０の周方向Ｈにおける第２螺旋締付部３２の下部３２ｂの張力ＦＨ３２ｂとすると、第２螺旋締付部３２の上部３２ａが、第１螺旋締付部３１及び第２螺旋締付部３２の下部３２ｂと比較して強い締め付け力を持ち、第１螺旋締付部３１及び第２螺旋締付部３２が略同一の締め付け力を持つような、ＦＨ３２ａ＞ＦＨ３１＝ＦＨ３２＞ＦＨ１という大小関係を持たせることがさらに好ましい。
【００３６】
以上のように、本実施形態に係るスパッツ１００は、着用することにより、着用者の大腿、臀部、腹部及び背中の筋肉を意識して起立することができると共に、着用者が動作することにより、本発明に係る編組織により着用者の筋肉に負荷を掛け易く、効果的なエクササイズを行なうことできる。
特に、本実施形態に係るスパッツ１００は、「内股絞りからのお尻締め」のバレエの基本姿勢に導く編組織が施されており、着用者の内股から臀部を介して肋骨までの「中半身」（体幹）を物理的に絞り、着用者のすっきりとした輪郭を作り、「内股絞りからのお尻締め」のバレエの基本姿勢を着用者の日常生活で体感することができる。
【符号の説明】
【００３７】
１      ベース生地部
１０    パンティ部
１１    腰天
１２    ウエスト・バンド
１３    パンティ
１４    股布
２０    レッグ部
２１    大腿部
２２    膝部
２３    下腿部
２４    裾
２５    口ゴム
３０    螺旋締付部
３１    第１螺旋締付部
３２    第２螺旋締付部
３２ａ  上部
３２ｂ  下部
４０    Ｖ字締付部
５０    Ｘ字締付部
６１    内側締付部
６２    Ｕ字締付部
６３    外側締付部
１００  スパッツ
【図１】
0003199435.tif 000003
【図２】
0003199435.tif 000004
【図３】
0003199435.tif 000005
【図４】
0003199435.tif 000006
【図５】
0003199435.tif 000007
【図６】
0003199435.tif 000008
【図７】
0003199435.tif 000009